(57)【要約】【課題】着脱可能な浴槽用手すりは、一般的に福祉施設、高齢者や障害者を開場する一般家庭で多く使われているが、市販されている多くの製品は、浴槽壁面を内外から締め付け、摩擦力で保持するタイプがほとんどであるが、浴槽外壁面の強度が弱いため、十分な締め付けができず、使用時に外れたり、ずれたりし、利用者が転倒しかねないという決定的な欠点を持っている。【解決手段】本考案の着脱可能な浴槽用手すりは、十分な締め付けが不可能なため、使用時に利用者が身体を支えようとするとずれたり外れたりしまうことを防ぐため、負荷がかかる浴槽を挟みこむ部分の浴槽内壁側に安全確認表示機能が付いた強力な吸盤を用いており、使用時に身体を支えても手すりが外れたり、ずれたりする危険性は極めて少ない。【選択図】図１
0003141419.tif 000002
【実用新案登録請求の範囲】
【請求項１】
浴槽用手すりの浴槽内側の固定に安全確認表示機能を持った吸盤を使うことにより、取り付け取り外しが容易で、安心かつ安全に利用できる浴槽用手すり
【考案の詳細な説明】
【技術分野】
【０００１】本考案は、一般に高齢者や障害者等が、入浴時に浴槽をまたぐために使われる着脱可能な浴槽用手すりの最大の弱点である浴槽外壁面の強度が不足のために強く締め付けられないということ、又多くの浴槽内壁面が傾斜しているため、取り付け時や使用時に上方向にずれやすいことによる不安定さや危険性を回避させた浴槽用手すりに関するものである。
【背景技術】
【０００２】一般的に高齢者や障害者等が、入浴時に浴槽をまたぐために市販されている着脱可能な浴槽用手すりは、福祉施設や一般家庭で数多く採用されている。これらの浴槽用手すりの最大の特徴は、その手すりに体重を預け、浴槽に入る補助として使われるものであるが、最近の多くの浴槽の外側壁面が強度的に不十分であり、きつく締め付けすぎると浴槽外壁面が破損する懸念があり、かつ浴槽内壁面が上方に向かって傾斜しているため、必要な強度で取り付けることが困難であり、入浴時に体重を預けると浴槽から外れたり、ずれたりするという不安定さや安全面での決定的な欠点をもっているものがほとんどである、
【考案の開示】
【考案が解決しようとする課題】
【０００３】今多くの福祉施設や高齢者や障害者を抱える一般家庭で着脱可能な浴槽用手すりが使われているが、取り付けるべき浴槽外側壁面強度が不十分であり、かつ浴槽内壁面が傾斜しているため、手すりの取り付け面のゴム等の摩擦力が十分に確保できず、使用時に取り付けた浴槽壁面（縁）から外れたり、傾いたりして、安定を得るための手すりの用を成さず、かえって利用者が転倒したりする危険性がある。
【課題を解決するための手段】
【０００４】着脱可能な浴槽用手すりは高齢者や障害者が入浴のために浴槽をまたぐのに便利であるとして数多く採用されているが、一般、市販されている着脱可能な浴槽用手すりは、摩擦力を応用した取り付け面を有し、ネジなどによって浴槽壁（縁）内外面から締め付ける構造を持っているが、浴槽外側壁面が十分に締め付けに対応する強度を持っていない、浴槽内壁面が上方に向かって傾斜しているということにより、使用時に外れたり、ずれたりする危険性がある。
本機は、浴槽内壁面の摩擦部に安全確認表示機能付強力吸盤２個を用い、２個の吸盤を結ぶのに横棒あるいはパイプを使い、そのパイプと手すりは自由回転する支持具で連結されているため、吸盤取り付け面は常に浴槽内壁面に対して平行になる。更に浴槽外壁面にゴムあるいは吸盤を用い、ネジ式の留め付けにより、着脱可能な浴槽用手すりを取り付ける構造であり、この構造により、使用時の不安定さがなくなり、外れたりずれたりする危険は極めて少ない。
又、手すり支持部分が浴槽外部側から内部側に角度をつけて取り付けられているため、使用時に手すり上部から体重を支えるための力がかかったときにてこの原理で吸盤を浴槽内壁面に押し付ける力となる為、いっそうの吸盤強度が期待される。
吸盤の安全確認表示機能とは、吸盤が確実に取り付けられているとき、つまり、強度が十分に得られる状態に取り付けられたときに確認窓から緑色に表示される、不確実な取り付けや取り外した状態では確認窓が赤色に表示される機能である。
【考案の効果】
【０００５】本考案の着脱可能な浴槽用手すりは、十分な強度を持つ浴槽内壁面に安全確認表示機能付吸盤２個により、吸着による十分な安全性を確保できると同時に、浴槽外壁面からも支える構造になっているため安心して使用できるという効果もあわせ持っている
【考案を実施するための最良の形態】
【実施例】
【０００６】以下添付図面に従って実施例を説明する。図面１は全体のイメージ図で、図面２は正面（取り付け時には浴槽外側になる）から見た図、図面３は裏側（取り付け時には浴槽内側になる）から見た図である。図面４は横から見た図、図面５は上から見た図である。通常の浴槽用手すりは、吸盤ではなく、面により支えるだけであるため、ずれたりはずれたりしやすく使用者に不安感を与えるが、本機は吸盤を用いることにより、ずれたり外れたりする懸念が極めて少なく、使用者に安心感を与える効果もある。
【図面の簡単な説明】
【０００７】
【図１】着脱可能な浴槽用手すりを示した全体イメージ図
【図２】着脱可能な浴槽用手すりを正面から見た図
【図３】着脱可能な浴槽用手すりを裏側から見た図
【図４】着脱可能な浴槽用手すりを横から見た図
【図５】着脱可能な浴槽用手すりを上から見た図
【符号の説明】
【０００８】１  安全確認表示機能付吸盤
２  安全確認表示部
３  吸盤連結パイプと手すり支持との連結部
４  握り部（手すりグリップ）
５  外壁面取り付け固定用ネジ
６  浴槽外壁面取り付け滑り止め板
【図１】
0003141419.tif 000003
【図２】
0003141419.tif 000004
【図３】
0003141419.tif 000005
【図４】
0003141419.tif 000006
【図５】
0003141419.tif 000007
【手続補正書】
【提出日】平成20年2月7日(2008.2.7)
【手続補正１】
【補正対象書類名】実用新案登録請求の範囲
【補正対象項目名】全文
【補正方法】変更
【補正の内容】
【実用新案登録請求の範囲】
【請求項１】
浴槽縁部にまたがるように内側支持部と外側支持部を有し且つ上部に手すり握り部が支持させてある支持具の上記内側支持部に、浴槽内壁面に吸着させて取り付ける安全確認表示機能付吸盤を両端部に取り付けて横方向に配置した吸盤連結パイプ又は棒を回転自在に連結支持させ、更に、上記支持具の外側支持部に、浴槽外壁面に押し付けるようにする浴槽外壁面取り付け滑り止め板を、外壁面取り付け固定用ネジにより浴槽外壁面に近接離反する方向へ移動できるように備えてなる構成を有することを特徴とする浴槽用手すり。
【手続補正２】
【補正対象書類名】明細書
【補正対象項目名】全文
【補正方法】変更
【補正の内容】
【考案の詳細な説明】
【技術分野】
【０００１】  本考案は、一般に高齢者や障害者等が、入浴時に浴槽をまたぐために浴槽に着脱可能に取り付けて使用する浴槽用手すりに関するものである。
【背景技術】
【０００２】  一般的に高齢者や障害者等が、入浴時に浴槽をまたぐために浴槽に着脱可能に取り付けて使用する浴槽用手すりは、市販されており、福祉施設や一般家庭で数多く採用されている。【０００３】  上記浴槽に着脱可能な浴槽用手すりは、浴槽に取り付けることにより、浴槽をまたぐときに手すりに体重を預けるようにすることにより、浴槽に入る補助として使用されるものであるが、一般に市販されている着脱可能な浴槽用手すりは、摩擦力を応用した取り付け面を有し、ネジによって浴槽縁部の内外面から締め付ける構造のものとなっている。
【考案の開示】
【考案が解決しようとする課題】
【０００４】  ところが、最近の多くの浴槽の外側壁面が強度的に不十分であって、強く締め付けすぎると浴槽外壁面が破損する懸念があることから強く締め付けられないこと、又、多くの浴槽の内壁面は上方に向って傾斜しているため、必要な強度で取り付けることが困難である、という問題があり、更に、市販されている通常の浴槽用手すりは、浴槽内壁面への取り付けが吸盤ではなく、面により与えられるだけである。そのため、入浴時に手すりに体重を預けると、手すりが浴槽から外れたり、ずれたりするというおそれがあり、不安定であるという問題がある。【０００５】  そこで、本考案は、浴槽に取り付けることにより浴槽から外れたり、ずれたりすることなく安定した状態で安心して使用できるようにする浴槽用手すりを提供しようとするものである。
【課題を解決するための手段】
【０００６】  本考案は、浴槽縁部にまたがるように内側支持部と外側支持部を有し且つ上部に手すり握り部が支持させてある支持具の上記内側支持部に、浴槽内壁面に吸着させて取り付ける安全確認表示機能付吸盤を両端部に取り付けて横方向に配置した吸盤連結パイプ又は棒を回転自在に連結支持させ、更に、上記支持具の外側支持部に、浴槽外壁面に押し付けるようにする浴槽外壁面取り付け滑り止め板を、外壁面取り付け固定用ネジにより浴槽外壁面に近接離反する方向へ移動できるように備えてなる構成とする。
【考案の効果】
【０００７】  本考案の浴槽用手すりは、浴槽縁部にまたがるように内側支持部と外側支持部を有し且つ上部に手すり握り部が支持させてある支持具の上記内側支持部に、浴槽内壁面に吸着させて取り付ける安全確認表示機能付吸盤を両端部に取り付けて横方向に配置した吸盤連結パイプ又は棒を回転自在に連結支持させ、更に、上記支持具の外側支持部に、浴槽外壁面に押し付けるようにする浴槽外壁面取り付け滑り止め板を、外壁面取り付け固定用ネジにより浴槽外壁面に近接離反する方向へ移動できるように備えてなる構成としてあるので、支持具を浴槽縁部にまたがるように載せて、十分な強度を持つ浴槽内壁面に、安全確認表示機能付吸盤２個を吸着させると同時に、外側支持部の浴槽外壁面取り付け滑り止め板を浴槽外壁面に押し付けて支えるようにすることができ、吸盤を吸着させることによる十分な安定性の確保と、浴槽外壁面取り付け滑り止め板による滑り止めにより、安心して使用できる効果を有する。
【考案を実施するための最良の形態】
【０００８】  以下、図面に基づき本考案を実施するための最良の形態を説明する。
図１乃至図５は本考案の浴槽用手すりの実施の一形態を示すもので、浴槽縁部にまたがるようにして設置できるように、天板７ａの一端側と他端側に下向きに内側支持部７ｂと外側支持部７ｃをそれぞれ取り付けてなる支持具７を構成し、該支持具７の上記外側支持部７ｃ取付け側の上面に、逆Ｕ字状に折り曲げてなる手すり握り部（グリップ）４を上端部に有する手すり支持部８を、上端側が内側支持部７ａ側へくの字状に折り曲げられた状態で取り付ける。上記支持具７の内側支持部７ｂの下端部には、横方向に延びる吸盤連結パイプ９を、吸盤連結パイプと支持具との連結部３にて自由に回転できるように連結支持させる。該吸盤連結パイプ９の両端部には、確認窓を有して該確認窓に色が表示されるようにしてある安全確認表示部２を備えた安全確認表示機能付吸盤１を、それぞれ取り付け、吸盤連結パイプ９の自由な回転により２個の吸盤１の吸着面が常に浴槽内壁面に対して平行になるようにする。【０００９】  更に、上記支持具７の外側支持部７ｃには、外壁面取り付け固定用ネジ５を外側から内側へ向けて取り付けて、該ネジ５に浴槽外壁面取り付け滑り止め板６を螺合させ、ネジ５の回転により上記浴槽外壁面取り付け滑り止め板６が内外方向、すなわち、浴槽外壁面に近接離反する方向へ移動できるようにする。【００１０】  本考案の浴槽用手すりを浴槽縁に取り付けて使用するときは、支持具７の内側支持部７ｂに取り付けた２個の安全確認表示機能付吸盤１が浴槽内壁面側に位置するように、又、支持具７の外側支持部７ｃに取り付けた浴槽外壁面取り付け滑り止め板６が浴槽外壁面側に位置するように、支持具７を浴槽縁をまたがせて載置する。しかる後、２個の安全確認表示機能付吸盤１を浴槽内壁面に吸着させると共に、外壁面取り付け固定用ネジ５を締め付け方向へ回転させることにより浴槽外壁面取り付け滑り止め板６を前進させて、浴槽外壁面に滑り止め板６を押し付けるようにし、浴槽縁部の側壁部を内外方向から挟持させるようにする。この際、２個の吸盤１を結ぶのに吸盤連結パイプ８を使用し、このパイプ９が連結部３で回転自在となっているので、吸盤１の吸着面は常に浴槽内壁面に対して平行になり、吸盤１を浴槽内壁面に確実に吸着させて取り付けることができる。吸盤１には、安全確認表示部２があり、吸盤１が確実に浴槽内壁面に取り付けられているとき、つまり、強度が十分に得られる状態に取り付けられたときは、確認窓から緑色に表示される。なお、不確実な取り付けや取り外した状態では、確認窓が赤色に表示されるようにしてある。【００１１】  上記のように本考案の浴槽用手すりを浴槽に取り付けると、手すり支持部８が浴槽外部側から内部側に角度をつけて取り付けられているため、使用時に手すり握り部４の上部から入浴者の体重を支えるための力がかかったときに、てこの原理で吸盤１を浴槽内壁面に押し付ける力となるため、一層の吸盤強度が期待される。【００１２】  なお、２個の吸盤１を吸盤連結パイプ９で結ぶようにした場合を示したが、パイプ以外に横棒を使用してもよい。
【図面の簡単な説明】
【００１３】
【図１】  本考案の浴槽用手すりの斜視図である。
【図２】  本考案の浴槽用手すりの正面図である。
【図３】  本考案の浴槽用手すりの背面図である。
【図４】  本考案の浴槽用手すりの側面図である。
【図５】  本考案の浴槽用手すりの平面図である。
【符号の説明】
【００１４】  １  安全確認表示機能付吸盤
２  安全確認表示部
３  吸盤連結パイプと支持具との連結部
４  手すり握り部（グリップ）
５  外壁面取り付け固定用ネジ
６  浴槽外壁面取り付け滑り止め板
７  支持具
７ａ  天板
７ｂ  内側支持部
７ｃ  外側支持部
８  手すり支持部
９  吸盤連結パイプ
【手続補正３】
【補正対象書類名】図面
【補正対象項目名】全図
【補正方法】変更
【補正の内容】
【図１】
0003141419.tif 000008
【図２】
0003141419.tif 000009
【図３】
0003141419.tif 000010
【図４】
0003141419.tif 000011
【図５】
0003141419.tif 000012